(57)【要約】【課題】内視鏡洗浄機の操作性を向上させ、ヒューマンエラーを防止し、オペレータの負荷を軽減する。【解決手段】固有の識別情報を持つ内視鏡と、内視鏡検査時に前記内視鏡と接続される内視鏡プロセッサと、前記内視鏡に関する少なくとも使用及び洗浄履歴及び洗浄スケジュールの情報を管理する洗浄管理サーバと、前記内視鏡の洗浄を行うための操作パネルを備えた内視鏡洗浄機と、を有して構成され、前記洗浄管理サーバは各前記内視鏡毎に洗浄処理内容を設定し、前記内視鏡洗浄機は洗浄対象である前記内視鏡の前記固有の識別情報により前記内視鏡に対して設定された洗浄処理内容を前記洗浄管理サーバから取得し、該取得した洗浄処理内容に基づいて前記操作パネルの表示画面及び入力ボタンの機能割り当てを設定することを特徴とする内視鏡洗浄機管理システムを提供する。【選択図】図１
2010017411.tif 000002
【特許請求の範囲】
【請求項１】
固有の識別情報を持つ内視鏡と、
内視鏡検査時に前記内視鏡と接続される内視鏡プロセッサと、
前記内視鏡に関する少なくとも使用及び洗浄履歴及び洗浄スケジュールの情報を管理する洗浄管理サーバと、
前記内視鏡の洗浄を行うための操作パネルを備えた内視鏡洗浄機と、
を有して構成され、前記洗浄管理サーバは各前記内視鏡毎に洗浄処理内容を設定し、前記内視鏡洗浄機は洗浄対象である前記内視鏡の前記固有の識別情報により前記内視鏡に対して設定された洗浄処理内容を前記洗浄管理サーバから取得し、該取得した洗浄処理内容に基づいて前記操作パネルの表示画面及び入力ボタンの機能割り当てを設定することを特徴とする内視鏡洗浄機管理システム。
【請求項２】
前記内視鏡洗浄機は、前記内視鏡の前記固有の識別情報を、前記内視鏡に設けられたＲＦＩＤタグから読み取ることを特徴とする請求項１に記載の内視鏡洗浄機管理システム。
【請求項３】
前記内視鏡洗浄機は、前記内視鏡の前記固有の識別情報を、前記内視鏡の洗浄を行うオペレータが有する携帯端末から読み取ることを特徴とする請求項１に記載の内視鏡洗浄機管理システム。
【請求項４】
前記操作パネルの表示画面及び入力ボタンの機能割り当ての設定において、前記各洗浄処理内容毎に、初期画面または入力操作の階層構造及び前記入力ボタンの入力項目の割り当てを設定することを特徴とする請求項１〜３のいずれかに記載の内視鏡洗浄機管理システム。
【請求項５】
前記操作パネルの表示画面及び入力ボタンの機能割り当ての設定において、前記各洗浄処理内容毎の必要最低限の選択肢数に応じて、入力可能な前記入力ボタン数を制限するように設定することを特徴とする請求項１〜４のいずれかに記載の内視鏡洗浄機管理システム。
【請求項６】
前記洗浄処理内容として、少なくとも、通常の洗浄処理、内視鏡の所定使用回数毎に行う所定の検査処理及び１日のスケジュールにおける最終処理を含むことを特徴とする請求項１〜５のいずれかに記載の内視鏡洗浄機管理システム。
【請求項７】
前記所定の検査処理は、内視鏡の漏水検査処理であることを特徴とする請求項６に記載の内視鏡洗浄機管理システム。
【請求項８】
前記最終処理は、アルコールフラッシュ処理であることを特徴とする請求項６または７のいずれかに記載の内視鏡洗浄機管理システム。
【発明の詳細な説明】
【技術分野】
【０００１】
本発明は、内視鏡洗浄機管理システムに係り、特に、洗浄対象である内視鏡の使用状況に応じて内視鏡洗浄機の操作内容を変更するようにした内視鏡洗浄機管理システムに関する。
【背景技術】
【０００２】
従来より、医療分野において、内視鏡を利用した医療診断が広く行われており、特に電子内視鏡の体腔内に挿入される挿入先端部にＣＣＤなどの撮像素子を内蔵して体腔内の画像（内視鏡画像）を撮影し、プロセッサ装置で信号処理を施してモニタに表示し、これを医者が観察して診断に用いるようにしている。
【０００３】
このとき、撮影した内視鏡画像の他にその内視鏡画像に対する医者の所見、患者の氏名、年齢、性別などの患者の情報、内視鏡検査の開始時間、終了時間、検査を行った場所などの内視鏡検査に関する情報等も一緒に記録されるようになっている。
【０００４】
また、内視鏡検査を行った後の内視鏡は洗浄機で洗浄して所定の場所に保管しておく必要がある。通常一定規模の病院内においては、複数の内視鏡が使用されるので、各内視鏡によって得られた検査結果やその他の情報をきちんと整理して記録したり、検査後未洗浄の内視鏡がそのまま再度検査に使用されないようにするために各内視鏡をきちんと管理する必要がある。そこで、従来様々な内視鏡管理システムが提案されている。
【０００５】
例えば、内視鏡毎にその内視鏡の識別情報及びその内視鏡固有の使用状況に関する固有の情報が記録された記憶手段から識別情報及び固有情報を読み出して、その識別情と固有情報とを対応付けて各内視鏡を一元的に管理するようにしたものが知られている（例えば、特許文献１等参照）。
【０００６】
また、例えば、同様に内視鏡の識別情報及び使用状況に関する固有情報により内視鏡を一元的に管理するシステムであって、特に、上記内視鏡の種類（機種）や製造番号に基づいて、行われる可能性のある検査種別を特定し、この検査種別に適合した検査画面を表示するようにしたものが知られている（例えば、特許文献２等参照）。
【特許文献１】特開２００１−４６３２６号公報
【特許文献２】特開２００５−１４３７８２号公報
【発明の開示】
【発明が解決しようとする課題】
【０００７】
しかしながら、例えば上記引用文献１に記載されたものでは、検査後の内視鏡を洗浄する際、内視鏡洗浄装置のＣＰＵが内視鏡と通信を行い内視鏡の管理Ｎｏ．あるいは製造番号等を取得してこれに基づいて洗浄を行うようにしているが、具体的にオペレータが内視鏡洗浄装置をどのように操作するのか全く開示されていない。また、上記引用文献２においても、内視鏡洗浄について具体的な記載はない。従って、内視鏡の製造番号等によって内視鏡の洗浄管理を行うといっても、オペレータが内視鏡洗浄装置を操作する態様によっては、ヒューマンエラーが発生する虞れが生ずるという問題がある。
【０００８】
本発明は、このような事情に鑑みてなされたもので、内視鏡洗浄機の操作性を向上させ、ヒューマンエラーを防止し、オペレータの負荷を軽減することのできる内視鏡洗浄機管理システムを提供することを目的とする。
【課題を解決するための手段】
【０００９】
前記目的を達成するために、請求項１に記載の発明は、固有の識別情報を持つ内視鏡と、内視鏡検査時に前記内視鏡と接続される内視鏡プロセッサと、前記内視鏡に関する少なくとも使用及び洗浄履歴及び洗浄スケジュールの情報を管理する洗浄管理サーバと、前記内視鏡の洗浄を行うための操作パネルを備えた内視鏡洗浄機と、を有して構成され、前記洗浄管理サーバは各前記内視鏡毎に洗浄処理内容を設定し、前記内視鏡洗浄機は洗浄対象である前記内視鏡の前記固有の識別情報により前記内視鏡に対して設定された洗浄処理内容を前記洗浄管理サーバから取得し、該取得した洗浄処理内容に基づいて前記操作パネルの表示画面及び入力ボタンの機能割り当てを設定することを特徴とする内視鏡洗浄機管理システムを提供する。
【００１０】
これにより、内視鏡洗浄機の操作性を向上させ、ヒューマンエラーを防止し、オペレータの負荷を軽減することが可能となる。
【００１１】
また、請求項２に示すように、前記内視鏡洗浄機は、前記内視鏡の前記固有の識別情報を、前記内視鏡に設けられたＲＦＩＤタグから読み取ることを特徴とする。
【００１２】
これにより、内視鏡洗浄機の操作性が向上する。
【００１３】
また、請求項３に示すように、前記内視鏡洗浄機は、前記内視鏡の前記固有の識別情報を、前記内視鏡の洗浄を行うオペレータが有する携帯端末から読み取ることを特徴とする。
【００１４】
これにより、同じく内視鏡洗浄機の操作性が向上する。
【００１５】
また、請求項４に示すように、前記操作パネルの表示画面及び入力ボタンの機能割り当ての設定において、前記各洗浄処理内容毎に、初期画面または入力操作の階層構造及び前記入力ボタンの入力項目の割り当てを設定することを特徴とする。
【００１６】
これにより、内視鏡洗浄機の操作性を向上させ、ヒューマンエラーを防止し、オペレータの負荷を軽減することが可能となる。
【００１７】
また、請求項５に示すように、前記操作パネルの表示画面及び入力ボタンの機能割り当ての設定において、前記各洗浄処理内容毎の必要最低限の選択肢数に応じて、入力可能な前記入力ボタン数を制限するように設定することを特徴とする。
【００１８】
これにより、内視鏡洗浄機の操作性を向上させ、ヒューマンエラーを防止し、オペレータの負荷を軽減することが可能となる。
【００１９】
また、請求項６に示すように、前記洗浄処理内容として、少なくとも、通常の洗浄処理、内視鏡の所定使用回数毎に行う所定の検査処理及び１日のスケジュールにおける最終処理を含むことを特徴とする。
【００２０】
また、請求項７に示すように、前記所定の検査処理は、内視鏡の漏水検査処理であることを特徴とする。
【００２１】
また、請求項８に示すように、前記最終処理は、アルコールフラッシュ処理であることを特徴とする。
【００２２】
これにより、内視鏡毎に必要な洗浄処理を自動的に設定することができ、内視鏡洗浄機の操作性が向上する。
【発明の効果】
【００２３】
以上説明したように、本発明によれば、内視鏡洗浄機の操作性を向上させ、ヒューマンエラーを防止し、オペレータの負荷を軽減することが可能となる。
【発明を実施するための最良の形態】
【００２４】
以下、添付図面を参照して、本発明に係る内視鏡洗浄機管理システムについて詳細に説明する。
【００２５】
図１は、本発明に係る内視鏡洗浄機管理システムの一実施形態の概略を示す全体構成図である。
【００２６】
図１に示すように、本実施形態の内視鏡洗浄機管理システム１は、内視鏡検査時に内視鏡１０と接続して内視鏡１０が取得した画像の処理等を行う内視鏡プロセッサ２０、検査後の内視鏡１０を洗浄する内視鏡洗浄機(単に洗浄機とも言う)３０、及び内視鏡１０の洗浄スケジュール等を管理する洗浄管理サーバ(単に管理サーバとも言う)４０がＬＡＮケーブル５０に接続されて構成されている。
【００２７】
内視鏡１０は、詳しい図示は省略するが、体腔内に挿入される挿入部と、挿入部の基端部分に連設され、把持部を兼ねる操作部によって構成される。挿入部の先端には体腔内の被観察部位を撮像するＣＣＤ等からなる撮影ユニットが内蔵されている。そして、検査時には内視鏡１０が内視鏡プロセッサ２０に接続されて内視鏡検査が行われる。このとき内視鏡１０は、内視鏡１０の操作部の側壁から延びるコードの先端部に設けられたコネクタによって内視鏡プロセッサ２０及び内視鏡プロセッサ２０に併設された照明装置(図示省略)に着脱自在に接続される。
【００２８】
また、内視鏡１０は、ＲＦＩＤ（Radio Frequency Identification)タグ１２を有しており、このＲＦＩＤタグ１２によって各機器あるいはオペレータが有する携帯端末との間で情報の授受が可能であり、これによって内視鏡１０は個別に識別可能となっている。ＲＦＩＤタグ１２は、識別データ（内視鏡固有の識別情報）が記憶されるＩＣチップと、このＩＣチップに電気的に接続され、各機器あるいはオペレータの携帯端末との間で無線（非接触）でデータのやり取りを行うループアンテナとを備えている。
【００２９】
内視鏡プロセッサ２０は、内視鏡１０の挿入部に内蔵されたＣＣＤ等からなる撮影ユニットが撮影して出力された画像信号に基づいて内視鏡画像を生成し、図示を省略した付属のモニタに表示するとともに記録するものである。
【００３０】
洗浄機３０は、詳しくは後述するが、箱状の装置本体の上面に蓋のついた洗浄槽が設けられ、使用済みの内視鏡１０を収容し、ＲＦＩＤタグ１２により洗浄対象の内視鏡１０の識別情報を取得して、洗浄、消毒、濯ぎ、乾燥などの各種処理を施して、内視鏡１０を洗浄、消毒、滅菌するものである。
【００３１】
管理サーバ４０は、内視鏡検査における検査進行情報、履歴情報、スケジュール、洗浄パターンなどの情報を保持し、ＬＡＮケーブル５０を介して内視鏡プロセッサ２０、洗浄機３０と通信を行い、内視鏡検査及び検査後の内視鏡の洗浄を管理するものである。
【００３２】
内視鏡１０、内視鏡プロセッサ２０、洗浄機３０等の各機器はＲＦＩＤタグによって管理され、管理サーバ４０により各機器間の関連付けが制御されるようになっている。
【００３３】
図２に、内視鏡洗浄機（洗浄機）３０を示す。図２は、洗浄機３０の外観を示す斜視図である。
【００３４】
図２に示すように、洗浄機３０は、箱型に形成され、洗浄機本体３１と上蓋３２とから構成されている。洗浄機本体３１の上面には内視鏡１０を収納する洗浄槽３３が形成され、この洗浄槽３３内には、回転型噴射装置３４が設けられている。また、洗浄槽３３の内側には、内視鏡１０の電気信号コネクタ（図示省略）に装着される防水キャップ３５が設けられている。なお、内視鏡１０のＬＧコネクタは防水型に形成されているので、ＬＧコネクタ用の防水キャップは省略されている。
【００３５】
洗浄機本体３１は、操作パネル３６を有しており、オペレータが操作パネル３６を操作して洗浄作業の内容に関する各種設定や洗浄開始等の指示を洗浄機３０に対して入力することができる。また、詳しくは後述するが、操作パネル３６は表示部を有し、表示部には洗浄作業の残り時間や、作業終了までの時間、トラブル発生時の警告等が表示されるようになっている。
【００３６】
また、図２では図示を省略したが、洗浄機本体３１は中央処理装置（ＣＰＵ）を有しており、ＣＰＵは、洗浄プログラムに従って回転型噴射装置３４等の各部の動作を制御し、内視鏡１０の洗浄開始から洗浄終了までを自動で制御する。
【００３７】
洗浄機３０の洗浄槽３３は、内視鏡プロセッサ２０から取り外された検査終了後の内視鏡１０を収納し、洗浄・消毒等を行うものである。内視鏡１０洗浄時には、内視鏡１０の電気信号コネクタに防水キャップ３５が取り付けられ、上蓋３２が閉じられる。
【００３８】
洗浄作業はオペレータが操作パネル３６からスタートのコマンドを入力することによって開始されるようになっている。オペレータがスタートのコマンドを入力すると回転型噴射装置３４の噴射ノズル３７から洗浄液が噴射され、内視鏡１０の洗浄が行われるようになっている。なお、洗浄槽３３に溜めた洗浄液や消毒液に内視鏡１０を浸漬して洗浄・消毒を行うことも可能である。
【００３９】
次に、上記のように構成された内視鏡洗浄機（洗浄機）３０の作用について説明する。
【００４０】
内視鏡検査が終了すると、オペレータは、検査に使用していた内視鏡１０の電気信号コネクタ及びＬＧコネクタを内視鏡プロセッサ２０の接続部から取り外し、洗浄機３０の上蓋３２を開き、内視鏡１０を洗浄機３０の洗浄槽３３内に載置する。
【００４１】
そして、内視鏡１０の電気信号コネクタに防水キャップ３５を装着すると、詳しい図示は省略するが、防水キャップ３５の外周面に設けられた導通部材が電気信号コネクタの金属板に接触して、洗浄機３０の主電源がオンする。洗浄機３０の主電源がオンされると、操作パネル３６が点灯し、各種コマンドの入力が可能になる。
【００４２】
その後オペレータは、上蓋３２を閉め、操作パネル３６を操作して洗浄作業の内容に関する各種設定を入力し、洗浄開始を指示するスタートのコマンドを入力する。
【００４３】
すると設定された洗浄プログラムに従って回転型噴射装置３４や排水弁等が制御され、内視鏡１０の洗浄作業が実施される。
【００４４】
所定の洗浄工程が完了した後、オペレータは上蓋３２を開け、電気コネクタから防水キャップ３５を外す。防水キャップ３５が電気コネクタから離脱すると、洗浄機３０の主電源がオフされる。
【００４５】
洗浄機３０の主電源をオンオフするスイッチを操作パネル３６に設けてもよいが、上記のように、洗浄機３０の防水キャップ３５を内視鏡１０の電気コネクタに装着／離脱により主電源のオン／オフを行うようにすることで、操作パネル３６から主電源オンオフのスイッチを減らすことができる。
【００４６】
以下、さらに詳しく本実施形態の内視鏡洗浄機３０の作用について説明する。
【００４７】
オペレータが検査後の内視鏡１０を洗浄機３０の洗浄槽３３にセットすると、洗浄機３０は、内視鏡１０のＲＦＩＤタグ１２からその内視鏡固有の識別情報を取得する。
【００４８】
また一方、洗浄機３０は、今取得したその内視鏡１０の識別情報に対応する履歴情報やスケジュール情報を管理サーバ４０から取得する。
【００４９】
洗浄機３０は、取得した履歴情報やスケジュール情報により、洗浄処理のモードが通常モードか例外処理モードかを判断し、そのモードに応じて操作パネル３６を制御する。
【００５０】
図３に、操作パネル３６の一例を示す。（ａ）は通常モードの表示例を表し、（ｂ）は例外処理モードの表示例を表している。
【００５１】
操作パネル３６は、処理内容あるいは処理状態を表示する表示部３６ａと物理的スイッチで形成される入力ボタン３６ｂとから構成される。しかし、入力ボタン３６ｂは、このように物理的なスイッチではなく、操作パネル３６全体がタッチパネルで構成され、入力ボタンの位置をタッチすることによってコマンドが入力されるようにしてもよい。
【００５２】
図３（ａ）は、通常モードの場合の表示画面を表している。表示部３６ａには、各入力ボタン３６ｂに対応した内容が表示されている。すなわち、入力ボタン３６ｂの一番左側の１番のボタンは洗浄開始を表し、真ん中の２番のボタンは洗浄処理の中断を表し、一番右側の３番のボタンは洗浄処理の終了、内視鏡１０の取り出しを表している。
【００５３】
これによれば、１番のボタンを押すと、洗浄処理がスタートし、そのまま自動的に洗浄処理の各工程が進行し、洗浄、消毒、乾燥と全ての処理が行われ、自動的に終了する。
【００５４】
２番のボタンは、処理の途中で一時的に処理をストップしたい場合に押される。また、３番のボタンは、処理を強制的に終了させる場合、あるいは処理の終了後内視鏡１０を取り出す場合に押される。
【００５５】
なお、表示部３６ａには、処理内容を階層構造で表現するようにしてもよい。すなわち、ある処理に対応した入力ボタン３６ｂを押すと、その処理に対応した次の処理内容が表示され、さらにその中である処理を選択すると、また次の処理内容が表示されるようにしてもよい。
【００５６】
図３（ｂ）は例外処理モードの場合の表示画面を表している。図３（ｂ）に示す例では、表示部３６ａに示されているように、入力ボタン３６ｂの１番のボタンは漏水検査の実行を表し、２番のボタンは洗浄開始を表し、３番のボタンは処理の中断を表している。
【００５７】
ここで漏水検査は、内視鏡１０を洗浄槽３３の水中に漬けて、内視鏡１０内部にエアを送り込んで泡の発生により漏水の検査を行うもので、毎回の洗浄毎に行う必要はなく、所定間隔をおいて行われる。例えば、内視鏡１０の累積使用回数をカウントしておき、所定回数毎に洗浄前に漏水検査を実施するように設定する。このとき、内視鏡プロセッサ２０でカウントされた累積使用回数が管理サーバ４０に保持される。そして、内視鏡洗浄の際、洗浄機３０は、内視鏡１０のＲＦＩＤタグ１２からその内視鏡１０の識別情報を得て、その識別情報により管理サーバ４０からその内視鏡１０の累積使用回数を取得して漏水検査の必要があると判断した場合には、洗浄機３０の操作パネル３６の表示部３６ａに漏水検査を含む例外処理モードの表示画面が表示される。
【００５８】
また、表示部３６ａの表示画面は、処理の進行に応じて各入力ボタン３６ｂの内容が一つずつ繰り上がるように自動で替わるようになっている。すなわち、今まで入力ボタン３６ｂの１番のボタンは漏水検査を表していたが、漏水検査が終了すると、１番のボタンは洗浄開始を表し、２番のボタンは中断を表すようにボタンの表示する内容が一つずつ繰り上がるようにずれてボタン配置が切り替わる。そして３番のボタンは終了・取り出しを表すようになり、操作パネル３６は通常モードの表示となる。
【００５９】
また、内視鏡プロセッサ２０からの情報で、または管理サーバ４０のスケジュール情報で、特にその内視鏡１０による検査はその日はもう最後であったことが分かった場合には、漏水検査が終了した後も、上のように通常モードの表示にせず、例えば、１番のボタンは洗浄開始、２番のボタンは中断、そして３番のボタンにアルコールフラッシュの処理を追加し、例外処理モードの表示とするようにしてもよい。
【００６０】
アルコールフラッシュは、内視鏡１０の管路内部にアルコールを注入し、その後数分間内視鏡１０の内部にエアーを送り込んで、乾燥させる処理であり、その日の使用が終了した内視鏡１０に対して行われる。
【００６１】
また、洗浄機３０が内視鏡１０のＲＦＩＤタグ１２から取得した内視鏡固有の識別情報により管理サーバ４０から得た使用患者の病歴や処置内容に応じて、消毒液の濃度変更を行ったり、新規消毒液を用いて消毒を行い１回で廃液としたり、洗浄時間を延長するなどの特殊洗浄処理の内容を追加するようにしてもよい。
【００６２】
なお、このような例外処理モードと洗浄パターンの対応付けデータは、管理サーバ４０あるいは洗浄機３０のどちらかに事前に登録しておくと良い。
【００６３】
また洗浄処理中にオペレータが離れた場所で別の作業を行うこともあり、そのような場合には、各処理ステップ毎に表示部３６ａの背景色を対応付けて変えるようにして、処理の進行をオペレータが遠くからでも視認できるようにすることが好ましい。
【００６４】
例えば、通常モードで洗浄を行う場合には表示部３６ａの背景を青にしたり、例外処理モードの場合には表示部３６ａの背景を赤にするようにしてもよい。さらに、処理モードで背景色を変えるだけでなく、各処理モードにおける各工程毎に背景色を変えるようにしてもよい。
【００６５】
また、表示部３６ａだけでなく、入力ボタン３６ｂの裏にライトを設け、入力ボタン３６ｂのバックライトの色を変えてオペレータに注意を喚起するようにしてもよい。例えば、そのボタンに対応する処理が実行中はボタンのバックライトを青に点灯し、その処理が終了したらバックライトを赤に点灯して処理の終了を示すようにしてもよい。この場合、このようにライトの色を変える他に、単に点灯と消灯で処理中か処理終了かを区別するようにしてもよい。
【００６６】
また、処理モードに応じて操作可能なボタンの数は可変とすることが好ましい。できるだけボタンの数を減らして、そのボタンに対応した処理内容を表示部３６ａに表示するようにする。これは安全の観点から、なるべく選択肢を少なくして誤操作をなくし、ヒューマンエラーを防止するためである。
【００６７】
例えば、図３（ａ）に示した通常モードの場合には、１番の洗浄開始を表すボタンはスタートボタンであり、これを押すと洗浄処理が開始され、そのまま最後まで処理が行われる。このとき最初に入力ボタン３６ｂを押すときは、１番のスタートボタンのみが有効であり、２番の中断を表すボタンや３番の終了を表すボタンは押しても当然働かない。
【００６８】
上では、表示部３６ａへの処理モードの表示方法として、通常モードと例外処理モードの２つの例について説明したが、内視鏡１０の使用情報に応じて洗浄処理を切り替える場合に、表示部３６ａは、その場合の処理に対応したパネル表示とすることが好ましい。
【００６９】
例えば、上でも述べたが、患者の感染情報に基づいて、患者の病歴や検査内容によっては、強力な消毒液を用いて消毒を行うように消毒液を切り替えて、消毒後その消毒液を１回で使い切るモードとする。
【００７０】
また、あるいはその内視鏡１０を使用した経過時間が非常に長い場合には、その内視鏡１０の洗浄も長時間かけて行うよう長時間洗浄モードとする。
【００７１】
また、オペレータが使用後（検査後）の内視鏡１０を洗浄機３０のところへ持って来て洗浄を行う場合に、洗浄機３０がオペレータが有している携帯端末から内視鏡固有の識別情報を含むＲＦＩＤを読み込んで、読み込んだＲＦＩＤによりオペレータのスケジュールやオペレータの汚染度等の状態を管理サーバ４０から取得して、操作パネル３６の表示を、オペレータの状態に応じて操作を限定したパネル表示とするようにしてもよい。
【００７２】
例えば、そのオペレータが汚染されていてクリーン度が低い場合には、洗浄済みの内視鏡１０をそのオペレータが洗浄機３０から取り出すことによってせっかく洗浄した内視鏡１０がまた汚染されてしまうのを防止するために、そのオペレータに対しては取り出し操作メニューを表示しないようにする。
【００７３】
ここで、オペレータのクリーン度とは、そのオペレータが内視鏡検査に関わった情報や、検査後クリーン室で着替えた情報などを逐次管理サーバ４０で把握して、各オペレータ毎にそのクリーン度を管理サーバ４０が評価したものである。
【００７４】
また、全体の内視鏡検査／内視鏡洗浄の管理スケジュールにおいて、あるオペレータが特定の時間帯に使用済み内視鏡１０を洗浄機３０にセットし、また特定の時間帯にその内視鏡１０を洗浄後取り出すようにスケジュールされている場合に、その対象洗浄機３０においては、オペレータのＲＦＩＤにより洗浄機３０が判断して、スケジュールされたオペレータとその時間帯の条件が一致した場合にのみ操作可能な表示とする。
【００７５】
従って、本来その内視鏡１０等を扱う担当でないオペレータが操作して、予め決められていたスケジュールを乱し、その後の処理を困難にしてしまうようなことはない。
【００７６】
また、その他、全体管理の資格を有するオペレータ（管理者）であることを、そのＲＦＩＤから洗浄機３０が判断した場合にのみ、洗浄機３０の操作パネル３６の表示を管理モードの操作用表示とするようにしてもよい。管理モードの操作用表示とは、例えば、プログラムを選択して管理スケジュールの設定や変更を行ったり、メンテナンス処理を行う場合の処理を表示するものである。
【００７７】
従って、このようにすれば管理者以外のオペレータが洗浄機３０を操作しようとしても、管理者用の操作画面が表示されることはなく、管理者以外のオペレータが洗浄機３０の設定を誤って変更してしまうことが防止される。
【００７８】
このように本実施形態においては、洗浄機３０が、内視鏡１０のＲＦＩＤあるいはオペレータのＲＦＩＤを読み取って得た内視鏡固有の識別情報により、管理サーバ４０から各種の情報を取得して、それに対応して処理モードの表示を洗浄機３０の操作パネル３６に表示させるようにすることによって、操作性を向上させ、ヒューマンエラーを防止し、オペレータの負荷を軽減するようにしている。
【００７９】
以上、本発明の内視鏡洗浄機管理システムについて詳細に説明したが、本発明は、以上の例には限定されず、本発明の要旨を逸脱しない範囲において、各種の改良や変形を行ってもよいのはもちろんである。
【００８０】
例えば、各種の医療器具に対する洗浄消毒装置や、オートクレーブ装置等においても適用可能である。
【図面の簡単な説明】
【００８１】
【図１】本発明に係る内視鏡洗浄機管理システムの一実施形態の概略を示す全体構成図である。
【図２】洗浄機の外観を示す斜視図である。
【図３】操作パネルの表示の一例を示す説明図であり、（ａ）は通常モードの表示例を表し、（ｂ）は例外処理モードの表示例を表わす。
【符号の説明】
【００８２】
１…内視鏡洗浄機管理システム、１０…内視鏡、１２…ＲＦＩＤタグ、２０…内視鏡プロセッサ、３０…内視鏡洗浄機（洗浄機）、３１…洗浄機本体、３２…上蓋、３３…世情槽、３４…回転型噴射装置、３５…防水キャップ、３６…操作パネル、３６ａ…表示部、３６ｂ…入力ボタン、４０…管理サーバ、５０…ＬＡＮケーブル
【図１】
2010017411.tif 000003
【図２】
2010017411.tif 000004
【図３】
2010017411.tif 000005